(57)【要約】本発明は、移動通信端末機びおける相互作用が可能なアナンシエータ提供方法及び装置に関するものである。本発明は、キー入力部、マイクロプロセッサ、プログラムメモリ、データ格納部、及びＬＣＤ（Liquid Crystal Display）表示部を含んで構成された移動通信端末機におけるユーザとの相互作用が可能なアナンシエータ（Annunciator）を提供する方法であって、（ａ）上記ＬＣＤ表示部の待機画面の上段に表示されているアナンシエータ領域へフォーカスを移動させるための第１キーボタン入力を受信すれば、上記アナンシエータ領域の特定アナンシエータへフォーカスを移動させるステップと、（ｂ）フォーカス状態にある上記特定アナンシエータに対応するメニュー項目や移動通信端末機状態情報をディスプレイするステップと、（ｃ）上記アナンシエータの間に上記フォーカスを移動させるための第２キーボタン入力を受信すれば、上記アナンシエータの間に上記フォーカスを移動させて、フォーカス状態にあるアナンシエータに対応するメニュー項目や移動通信端末機状態情報をディスプレイするステップと、（ｄ）上記メニュー項目間のフォーカス移動のための第３キーボタン入力を受信すれば、上記メニュー項目の間に上記フォーカスを移動させるステップと、（ｅ）特定メニュー項目がフォーカス状態にある時、特定キーボタン入力を受信すれば、上記特定メニュー項目に対応する機能を実行するステップと、を含むことを特徴とする移動通信端末機における相互作用可能なアナンシエータ提供方法を提案する。本発明によると、ユーザがアナンシエータに直接接近して移動通信端末機の正確な状態情報を確認し、またアナンシエータに対応するメニュー項目へ直接移動できる効果がある。
2008544630.tif 000002
【特許請求の範囲】
【請求項１】
キー入力部、マイクロプロセッサ、プログラムメモリ、データ格納部、及びＬＣＤ（Liquid Crystal Display）表示部を含んで構成された移動通信端末機におけるユーザとの相互作用が可能なアナンシエータ（Annunciator）を提供する方法であって、
（ａ）前記ＬＣＤ表示部の待機画面の上段に表示されているアナンシエータ領域へフォーカスを移動させるための第１キーボタン入力を受信すれば、前記アナンシエータ領域の特定アナンシエータへフォーカスを移動させるステップと、
（ｂ）フォーカス状態にある前記特定アナンシエータに対応するメニュー項目や移動通信端末機状態情報をディスプレイするステップと、
（ｃ）前記アナンシエータの間に前記フォーカスを移動させるための第２キーボタン入力を受信すれば、前記アナンシエータの間に前記フォーカスを移動させて、フォーカス状態にあるアナンシエータに対応するメニュー項目や移動通信端末機状態情報をディスプレイするステップと、
（ｄ）前記メニュー項目間のフォーカス移動のための第３キーボタン入力を受信すれば、前記メニュー項目間に前記フォーカスを移動させるステップと、
（ｅ）特定メニュー項目がフォーカス状態にある時、特定キーボタン入力を受信すれば、前記特定メニュー項目に対応する機能を実行するステップと、
を含むことを特徴とする移動通信端末機における相互作用可能なアナンシエータ提供方法。
【請求項２】
前記移動通信端末機状態情報が更新される場合、前記（ａ）ステップの前記特定アナンシエータは、更新された前記移動通信端末機状態情報を含むアナンシエータであることを特徴とする請求項１記載の移動通信端末機における相互作用可能なアナンシエータ提供方法。
【請求項３】
前記フォーカスは、活性状態のアナンシエータだけでなく、非活性状態のアナンシエータにも移動可能であることを特徴とする請求項１記載の移動通信端末機における相互作用可能なアナンシエータ提供方法。
【請求項４】
前記アナンシエータ領域は、受信状態表示アナンシエータ、通話状態表示アナンシエータ、ベル種類表示アナンシエータ、メッセージ表示アナンシエータ、アラーム表示アナンシエータ、ミニＳＤ（Secure Digital）メモリの状態表示アナンシエータ、バッテリ状態表示アナンシエータ、及び時間表示アナンシエータのうち、どれか一つ以上を含むことを特徴とする請求項１記載の移動通信端末機における相互作用可能なアナンシエータ提供方法。
【請求項５】
前記通話状態アナンシエータに対応するメニュー項目は、通話不能の理由及び解決方法に対する情報を知らせてくれる‘ヘルプ’項目を含んだり、前記ベル種類表示アナンシエータに対応するメニュー項目は‘平常時モード’、‘エチケットモード’、及び‘自動応答モード’のうち、どれか一つ以上を含んだり、前記メッセージ表示アナンシエータに対応するメニュー項目は、‘文字メッセージ’、‘音声メッセージ’、‘動画メッセージ’、及び‘ネートエアー（Nate Air）’のうち、どれか一つ以上を含み、各メニュー項目の後段には新しく受信したメッセージの個数に対する状態情報が共に表示されたり、前記アラーム表示アナンシエータに対応する移動通信端末機状態情報は、既に設定されているモーニングコール情報及びアラーム情報を含み、前記アラーム表示アナンシエータに対応するメニュー項目は、‘アラーム設定’項目を含んだり、前記時間表示アナンシエータに対応するメニュー項目は‘今日の日程’項目を含むことを特徴とする請求項４記載の移動通信端末機における相互作用可能なアナンシエータ提供方法。
【請求項６】
前記‘平常時モード’には現在設定されているベル種類状態情報が表示されて、特定キーボタンの入力によりベル種類を変更できたり、前記‘エチケットモード’には前記エチケットモード設定時間の状態情報が表示されて、特定キーボタンの入力により前記エチケットモード設定時間が調節できたり、前記‘自動応答モード’には現在設定されている自動応答の種類に対する状態情報が表示されて、特定キーボタンの入力により前記自動応答の種類が変更できることを特徴とする請求項５記載の移動通信端末機における相互作用可能なアナンシエータ提供方法。
【請求項７】
前記第１キーボタンは、前記移動通信端末機に別途に備えられたキーボタンであるとか、既存の特定キーボタンのロングキー（Long Key）またはショットキー（Short Key）であることを特徴とする請求項１記載の移動通信端末機における相互作用可能なアナンシエータ提供方法。
【請求項８】
前記第２キーボタンは、左・右方の移動方向キーボタンであり、前記第３キーボタンは、上・下方の移動方向キーボタンであることを特徴とする請求項１記載の移動通信端末機における相互作用可能なアナンシエータ提供方法。
【請求項９】
移動通信端末機におけるユーザとの相互作用可能なアナンシエータ（Annunciator）を提供するための装置であって、
前記ユーザからのキー入力を受けてアナンシエータ領域の特定アナンシエータへフォーカスを移動させて、前記アナンシエータの間、または前記アナンシエータのメニュー項目間の前記フォーカスを移動させて、フォーカス状態にあるアナンシエータに対応する移動通信端末機状態情報やメニュー項目をディスプレイするようにコーディングされたインタラクティブアナンシエータ（Interactive Annunciator）プログラム、及び移動通信端末機状態情報データとメニュー項目データとを格納するプログラムメモリと、
文字と数字とを入力し、前記移動通信端末機の特定機能を実行させるための特殊キーを含むキー入力部と、
前記インタラクティブアナンシエータプログラムが実行される際、データバッファー（Buffer）としての役割を遂行し、前記ユーザから入力されたデータを仮に格納したり外部から前記移動通信端末機に受信される文字やイメージデータを格納するデータ格納部と、
前記アナンシエータを活性または非活性状態にディスプレイし、前記フォーカス状態にあるアナンシエータに対応する前記移動通信端末機状態情報や前記メニュー項目をディスプレイするＬＣＤ表示部と、
前記ユーザから前記インタラクティブアナンシエータプログラムを実行させるためのキー入力を受信する場合、前記インタラクティブアナンシエータプログラムを実行させて、前記アナンシエータ領域の前記特定アナンシエータへ前記フォーカスを移動させて、前記フォーカスを移動させるためのキー入力を受信すれば、前記アナンシエータの間、または前記メニュー項目間のフォーカスを移動させて、前記フォーカス状態にあるアナンシエータの前記移動通信端末機状態情報や前記メニュー項目を前記ＬＣＤ表示部にディスプレイするように制御するマイクロプロセッサと、
を含むことを特徴とする移動通信端末機における相互作用可能なアナンシエータ提供装置。
【請求項１０】
前記インタラクティブアナンシエータプログラムは、前記実行キーが入力されれば、前記移動通信端末機の状態情報が更新されたか否かを判断して、更新された前記状態情報を含むアナンシエータへ前記フォーカスを移動させるようにコーディングされたことを特徴とする請求項９記載の移動通信端末機における相互作用可能なアナンシエータ提供装置。
【請求項１１】
前記キー入力部は、前記インタラクティブアナンシエータプログラムを実行させるための別途の専用キーボタンを具備したことを特徴とする請求項９記載の移動通信端末機における相互作用可能なアナンシエータ提供装置。
【発明の詳細な説明】
【技術分野】
【０００１】
本発明は、移動通信端末機における相互作用が可能なアナンシエータ（Annunciator）提供方法及び装置に関し、より詳しくは、移動通信端末機の状態情報を表示するＬＣＤ表示部の上段のアナンシエータの間へフォーカスを移動させて、フォーカス状態にあるアナンシエータの状態情報やメニュー項目をディスプレイするようにすることで、移動通信端末機におけるユーザとの相互作用が可能なアナンシエータを提供する方法及び装置に関する。  
【背景技術】
【０００２】
移動通信システムは、第１世代のアナログＡＭＰＳ（Advanced Mobile Phone System）方式と、第２世代のセルラー（Cellular）／個人携帯通信（ＰＣＳ：Personal Communication Service）方式とを経て、最近は情報通信の発達によりＩＴＵ−Ｒで標準として制定している第３世代の移動通信システムであるＩＭＴ−２０００（International Mobile Telecommunication 2000）が常用化されている。ＩＭＴ−２０００は、ＣＤＭＡ ２０００ １Ｘ、３Ｘ、ＥＶ−ＤＯ、ＷＣＤＭＡ（Wideband CDMA）などで、既存のＩＳ−９５Ａ、ＩＳ−９５Ｂ網から進化したＩＳ−９５Ｃ網を利用して、ＩＳ−９５Ａ、ＩＳ−９５Ｂ網で支援可能なデータ転送速度である１４．４ｋｂｐｓや５６ｋｂｐｓよりはるかに速い最高１４４ｋｂｐｓの転送速度で無線インターネットを提供できるサービスである。特に、ＩＭＴ−２０００サービスを利用すれば、既存の音声及びＷＢＳ（Wireless Broadcasting Service）サービス品質の向上は勿論、各種マルチメディアサービス（ＡＯＤ、ＶＯＤ等）をより速い速度で提供することができる。
【０００３】
このような移動通信システムの進化と共に、移動通信端末機もその機能が向上して、単純な音声通信だけでなく、各種アプリケーションを提供する多目的機器に進化している。ユーザは、移動通信端末機を通じて、イメージや動画、音楽、ゲームなど、多様なマルチメディアデータをダウンロードして実行させることができる。また、移動通信端末機は、電子手帳、写真編集機、カメラなど、多様で、かつ便利な機能を提供するだけでなく、ＬＣＤドライバー（Liquid Crystal Display Driver）の性能が向上することにつれて、待機画面に華麗なグラフィック環境を提供している。
【０００４】
このように移動通信端末機の機能が向上するにつれて、ユーザが移動通信端末機をより便利に使用できるようにするためのユーザインターフェース（ＵＩ：User Interface）の重要性が台頭している。
【０００５】
しかしながら、ユーザがより便利に寄り付けるユーザインターフェースを提供するための多様な試みにも拘わらず、液晶画面の上段（アナンシエータ領域）に表示されている受信状態アイコン、バッテリ残量表示アイコン、文字メッセージ表示アイコンなど、移動通信端末機の状態を表示するアイコン（これを‘アナンシエータ（Annunciator）’という。）は、単純にアイコン状態のみで情報を表示することに止めている。
【０００６】
即ち、従来のアナンシエータの場合、移動通信端末機の状態情報を単純に表示して、ユーザがそれに伴う行動をするように導くだけであり、直接的な接近や確認は不可能であった。したがって、ユーザが正確な状態情報を知るためには、該当状態情報を知らせてくれるメニュー項目を多くのステップを経て検索しなければならない不便があった。
【０００７】
さらに、知らないアナンシエータが表れる場合、ユーザはその意味が理解できないのみならず、如何なるメニューの検索を必要とするかも分からないという問題がある。
【発明の開示】
【発明が解決しようとする課題】
【０００８】
このような問題点を解決するために本発明は、移動通信端末機の状態情報を表示するＬＣＤ表示部の上段のアナンシエータの間へフォーカスを移動させて、フォーカス状態にあるアナンシエータの状態情報やメニュー項目をディスプレイするようにすることで、移動通信端末機におけるユーザとの相互作用が可能なアナンシエータを提供する方法及び装置を提供することをその目的とする。
【課題を解決するための手段】
【０００９】
このような目的を達成するために本発明は、キー入力部、マイクロプロセッサ、プログラムメモリ、データ格納部、及びＬＣＤ（Liquid Crystal Display）表示部を含んで構成された移動通信端末機におけるユーザとの相互作用が可能なアナンシエータ（Annunciator）を提供する方法であって、（ａ）上記ＬＣＤ表示部の待機画面の上段に表示されているアナンシエータ領域へフォーカスを移動させるための第１キーボタン入力を受信すれば、上記アナンシエータ領域の特定アナンシエータへフォーカスを移動させるステップと、（ｂ）フォーカス状態にある上記特定アナンシエータに対応するメニュー項目や移動通信端末機状態情報をディスプレイするステップと、（ｃ）上記アナンシエータの間に上記フォーカスを移動させるための第２キーボタン入力を受信すれば、上記アナンシエータの間に上記フォーカスを移動させて、フォーカス状態にあるアナンシエータに対応するメニュー項目や移動通信端末機状態情報をディスプレイするステップと、（ｄ）上記メニュー項目間のフォーカス移動のための第３キーボタン入力を受信すれば、上記メニュー項目の間に上記フォーカスを移動させるステップと、（ｅ）特定メニュー項目がフォーカス状態にある時、特定キーボタン入力を受信すれば、上記特定メニュー項目に対応する機能を実行するステップとを含むことを特徴とする移動通信端末機における相互作用可能なアナンシエータ提供方法を提案する。
【００１０】
他の目的のために本発明は、移動通信端末機におけるユーザとの相互作用可能なアナンシエータ（Annunciator）を提供するための装置であって、上記ユーザからのキー入力を受けてアナンシエータ領域の特定アナンシエータへフォーカスを移動させて、上記アナンシエータの間、または上記アナンシエータのメニュー項目間の上記フォーカスを移動させて、フォーカス状態にあるアナンシエータに対応する移動通信端末機状態情報やメニュー項目をディスプレイするようにコーディングされたインタラクティブアナンシエータ（Interactive Annunciator）プログラム、及び移動通信端末機状態情報データとメニュー項目データとを格納するプログラムメモリと、文字と数字を入力し、上記移動通信端末機の特定機能を実行させるための特殊キーを含むキー入力部と、上記インタラクティブアナンシエータプログラムが実行される際、データバッファー（Buffer）としての役割を遂行し、上記ユーザから入力されたデータを仮に格納したり外部から上記移動通信端末機に受信される文字やイメージデータを格納するデータ格納部と、上記アナンシエータを活性または非活性状態にディスプレイし、上記フォーカス状態にあるアナンシエータに対応する上記移動通信端末機状態情報や上記メニュー項目をディスプレイするＬＣＤ表示部と、上記ユーザから上記インタラクティブアナンシエータプログラムを実行させるためのキー入力を受信する場合、上記インタラクティブアナンシエータプログラムを実行させて、上記アナンシエータ領域の上記特定アナンシエータに上記フォーカスを移動させて、上記フォーカスを移動させるためのキー入力を受信すれば、上記アナンシエータ間、または上記メニュー項目間フォーカスを移動させて、上記フォーカス状態にあるアナンシエータの上記移動通信端末機状態情報や上記メニュー項目を上記ＬＣＤ表示部にディスプレイするように制御するマイクロプロセッサと、を含むことを特徴とする移動通信端末機における相互作用可能なアナンシエータ提供装置を提案する。  
【発明の効果】
【００１１】
本発明によると、アナンシエータ間のフォーカスが移動してフォーカス状態にあるアナンシエータに対応する移動通信端末機の状態情報やメニュー項目がディスプレイされることで、ユーザがより正確な移動通信端末機の状態情報を確認することができ、より便利にメニュー項目に接近できる効果がある。
【００１２】
また、移動通信端末機の画面に知らないアナンシエータがディスプレイされてもマニュアルなどを探して見る必要無しで、該当アナンシエータへフォーカスを移動して直ちに確認できる効果がある。  
【発明を実施するための最良の形態】
【００１３】
以下、本発明の好ましい実施形態を添付した図面を参照しつつ詳細に説明する。まず、各図面の構成要素への参照符号の付加において、同一な構成要素に対しては、たとえ他の図面上に表示されてもできる限り同一な符号が与えられていることに留意しなければならない。また、本発明の説明において、関連した公知構成または機能に対する具体的な説明が本発明の要旨を曖昧にすることができると判断される場合にはその詳細な説明は省略する。
【００１４】
図１は、本発明の好ましい実施形態に係る移動通信端末機の構成図である。
【００１５】
本発明の好ましい実施形態に係る移動通信端末機１００は、プログラムメモリ１０２、キー入力部１０４、ＬＣＤ表示部１０６、データ格納部１０８、モード状態格納部１１０、加入者情報格納部１１２、マイクロプロセッサ１１４、ディジタル信号処理部１１６、ベースバンド変換部１１８、スピーカ１２０、マイクロホン１２２、ＲＦ（Radio Frequency）信号処理部１２４、及びアンテナ１２６を含んで構成される。
【００１６】
本発明の好ましい実施形態に係るキー入力部１０４は、電話番号などの数字を入力するための数字キー、文字を入力するための文字キー、特定の機能を遂行するファンクションキー、及び方向キーを具備しており、ユーザが所定のキーボタンを押さえる時、押さえられたキーボタンに対応するキーデータを生成してマイクロプロセッサ１１４へ転送する。特に、キー入力部１０４は、後述するインタラクティブアナンシエータ（Interactive Annunciator）プログラムを実行させて、アナンシエータ領域の任意のアナンシエータへフォーカスを移動させるための別途の専用キーボタンを具備することができる。
【００１７】
本発明の好ましい実施形態に係るプログラムメモリ１０２は、移動通信網との間で送受信されるメッセージを処理するためのプロトコルソフトウェア、ＯＳ（Operating System）、移動通信端末機１００の全般的な動作を制御する制御プログラム、及びアプリケーションなどを格納しており、特にユーザからアナンシエータ領域へのフォーカス移動のためのキー入力があれば、アナンシエータ領域の任意のアナンシエータへフォーカスを移動させて、フォーカス移動のためのキー入力があれば、アナンシエータの間またはアナンシエータのメニュー項目間のフォーカスを移動させて、フォーカス状態にあるアナンシエータに対応する移動通信端末機１００の状態情報やメニュー項目をディスプレイするようにコーディングされたインタラクティブアナンシエータプログラムを格納している。また、インタラクティブアナンシエータプログラムの実行のために必要なデータを格納し、特に各々のアナンシエータに対応する移動通信端末機の状態情報データとメニュー項目データとを格納している。
【００１８】
ここで、インタラクティブアナンシエータプログラムは、アナンシエータ領域にフォーカスを移動させるためのキー入力があれば、まず移動通信端末機の状態情報が更新されたか否かを判断して、更新された場合、更新された移動通信端末機１００の状態情報を含むアナンシエータへフォーカスが移動するようにコーディングすることが好ましい。例えば、文字メッセージを新しく受信した場合、アナンシエータ領域へフォーカスを移動させるためのキー入力があれば、直ちにメッセージ表示アナンシエータへフォーカスが移動するようにする。
【００１９】
プログラムメモリ１０２は、読み取りは勿論、いったん記録されたデータを電気的に消去して再起緑できるＥＥＰＲＯＭ（Electrically Erasable And Programmable Read Only Memory）などで具現することができ、各プログラムは移動通信端末機１００が支援するＯＳに従いＣプログラミング言語や客体指向型であるＣ＋＋、ジャバ（JAVA）などのプログラミング言語で具現することができる。  
【００２０】
本発明の好ましい実施形態に係るＬＣＤ表示部１０６は、移動通信端末機１００の動作モードをディスプレイし、特にＬＣＤ表示部１００の上段に移動通信端末機１００の状態情報を示すアナンシエータをディスプレイし、アナンシエータにフォーカスが位置する時、アナンシエータに対応するメニュー項目や移動通信端末機の状態情報をディスプレイする。
【００２１】
既存の一般的な移動通信端末機では、アナンシエータ領域の全てのアナンシエータがＬＣＤ表示部にディスプレイされない。例えば、新しく受信したメッセージがない場合、メッセージ到着を示すメッセージ表示アナンシエータはディスプレイされない。しかしながら、本発明の好ましい実施形態に係るＬＣＤ表示部には、全てのアナンシエータが活性または非活性状態でディスプレイできるようにすることで、非活性状態にあるアナンシエータにもフォーカスを移動させて、メニュー項目などに直ちに接近できるようにすることが好ましい。これについては図４を参照して後述する。
【００２２】
本発明の好ましい実施形態に係るデータ格納部１０８は、移動通信端末機１００の動作プログラム実行時、データバッファー（Buffer）としての役割を遂行し、キー入力部１０２により入力されたデータを仮に格納したり、外部から移動通信端末機１００に受信される文字やイメージ（Image）などのデータを格納する。データ格納部１０８は、ＲＡＭ（Random Access Memory）などで具現されることができる。 
【００２３】
本発明の好ましい実施形態に係るマイクロプロセッサ１１４は、モード状態格納部１１２に格納されている状態フラグに基づいて移動通信端末機１００の全般的な動作を制御する。特に、ユーザからアナンシエータ領域へフォーカスを移動させるためのキー入力があれば、これを読み取ってインタラクティブアナンシエータプログラムを実行させると共に、インタラクティブアナンシエータプログラムに従い特定アナンシエータへフォーカスを移動させて、特定アナンシエータに対応する移動通信端末機１００の状態情報データまたはメニュー項目データを読み込んで、移動通信端末機１００の状態情報とメニュー項目をＬＣＤ表示部１０６にディスプレイすることを制御する。また、アナンシエータ間のフォーカス移動のためのキー入力があれば、これを読み取ってアナンシエータの間へフォーカスを移動させて、フォーカス状態にあるアナンシエータに対応する移動通信端末機１００の状態情報データとメニュー項目データを読み込んで、ＬＣＤ表示部１０６にディスプレイすることを制御する。そして、メニュー項目間のフォーカス移動のためのキー入力があれば、メニュー項目間のフォーカスを移動させて、特定メニュー項目がフォーカス状態にある時、特定キーボタン（例えば、確認キーボタン）を入力すると、特定メニュー項目に対応する機能が実行されるように制御する。
【００２４】
モード状態格納部１１０は、キー入力部１０２により選択された移動通信端末機１００の現在動作モードを状態フラグ（Flag）（０、１、２、・・・）に格納し、加入者情報格納部（ＳＩＭ：Subscriber Identity Module）は加入者端末機毎に与えられる固有番号、個人保安キー等、加入者登録情報を格納する。
【００２５】
ディジタル信号処理部（Digital Signal Processor；以下、‘ＤＳＰ’と称する）１１６は、音声信号をコーディングまたはデコーディングし、多重経路雑音除去のためのイコライザー（Equalizer）として機能し、音響データ処理機能などを遂行するディジタル信号処理プロセッサである。また、ＤＳＰ１１６は、ベースバンド変換部１１８と音声データ（Speech）を授受し、ベースバンド変換部１１８からディジタルデータ（ＲＸ ＤＡＴＡ）を受信する。
【００２６】
ベースバンド変換部１１８は、ＲＦ信号処理部１２４とＤＳＰ１１６、スピーカ１２０及びマイクロホン１２２の間に送受信される信号をベースバンド帯域の信号に変換し、ディジタル−アナログ変換（ＤＡＣ：Digital to Analog Conversion）及びアナログ−ディジタル変換（ＡＤＣ：Analog to Digital Conversion）などの機能を遂行する。ベースバンド変換部１１８は、転送データ（ＴＸＩＱ）をＲＦ信号処理部１２４へ伝達し、ＲＦ信号処理部１２４の電力を制御（ＰＯＷＥＲ）したり、その利得を自動で制御する（ＡＧＣ）。そして、ＲＦ信号処理部１２４から受信信号（ＲＸＩＱ）の伝達を受ける。
【００２７】
ＲＦ信号処理部１２４は、アンテナ１２６から受信したＲＦ信号を復調及び増幅し、ベースバンド変換部１１８から印加される転送信号を変調してアンテナ１２６を介して電波空間へ送出する。スピーカ１２０は、ベースバンド変換部１１８から伝えられる音響データを可聴音で出力し、マイクロホン１２２はユーザの音声入力を電気的な信号に変換する。
【００２８】
アンテナ１２６は、ＲＦ信号処理部１２４から信号の伝達を受けて外部へ送信したり、外部から受信された信号をＲＦ信号処理部１２４へ伝達する。
【００２９】
図２は、本発明の好ましい実施形態に係る移動通信端末機におけるユーザとの相互作用が可能なアナンシエータを提供する方法を示すフローチャートである。
【００３０】
ユーザからアナンシエータ領域へフォーカスを移動させるためのキーボタンが入力されれば（Ｓ２００）、特定アナンシエータへフォーカスを移動させて、特定アナンシエータに対応する移動通信端末機の状態情報やメニュー項目をＬＣＤ表示部１０６にディスプレイする（Ｓ２１０）。ここで、アナンシエータ領域へのフォーカス移動のためのキーボタンが入力されれば、まず移動通信端末機の状態情報が更新されたか否かを判断し、更新された情報がある場合、更新された移動通信端末機の状態情報を含むアナンシエータへフォーカスを移動することが好ましい。そして、アナンシエータへのフォーカス移動のためのキーボタンは、移動通信端末機に別途に備えられたキーボタンである場合もあり、または、既存の特定キーボタンのロングキー（Long Key）またはショットキー（Short Key）入力で代えることができる。
【００３１】
以後、ユーザからアナンシエータの間へフォーカスを移動させるためのキーボタンが入力されれば（Ｓ２２０）、アナンシエータの間へフォーカスを移動してフォーカス状態にあるアナンシエータに対応する移動通信端末機の状態情報やメニュー項目をディスプレイする（Ｓ２３０）。アナンシエータ間のフォーカス移動のためのキーボタンは、左・右方の移動方向キーボタンを利用することができる。前述したように、アナンシエータ間のフォーカス移動は、活性状態で表示されているアナンシエータだけでなく、非活性状態で表示されているアナンシエータへのフォーカス移動も可能である。
【００３２】
フォーカス状態にあるアナンシエータにおいて、メニュー項目間のフォーカス移動のためのキーボタンが入力されれば（Ｓ２４０）、メニュー項目間のフォーカスが移動することになり（Ｓ２５０）、特定メニューにフォーカスが位置する時に確認（ＯＫ）キーボタンを入力すると（Ｓ２６０）、特定メニューに対応する機能が実行される（Ｓ２７０）。
【００３３】
アナンシエータ領域に表示されるアナンシエータとしては、受信状態表示アナンシエータ、通話状態表示アナンシエータ、ベル種類表示アナンシエータ、メッセージ表示アナンシエータ、アラーム表示アナンシエータ、ミニＳＤ（Secure Digital）メモリの状態表示アナンシエータ、バッテリ状態表示アナンシエータ、及び時間表示アナンシエータが含まれることができる。但し、ミニＳＤメモリの状態表示アナンシエータの場合は、移動通信端末機１００にミニＳＤメモリが装着された場合に限る。
【００３４】
以下、上記の列挙したアナンシエータに対応する移動通信端末機の状態情報やメニュー項目が画面にディスプレイされることを図面を参照しつつ説明する。
【００３５】
図３Ａないし図３Ｈは、アナンシエータにフォーカスが位置する時、ディスプレイされる移動通信端末機の状態情報やメニュー項目を示す図である。
【００３６】
図３Ａは、受信状態表示アナンシエータにフォーカスが位置している時、移動通信端末機の受信状態情報がディスプレイされる図である。図示したように、‘受信信号良好’または‘受信信号不良’などのメッセージがディスプレイされる。
【００３７】
図３Ｂは、通話状態表示アナンシエータにフォーカスが位置する時、ディスプレイされる状態情報やメニュー項目を示す図である。通話状態によって、‘通話待機’または‘通話中’または‘通話不能’などのメッセージが表示され、特に通話不能の場合、その不能の理由、及びこれに対する解決方案に対する情報を知らせてくれる‘ヘルプ’項目を含む。
【００３８】
図３Ｃは、ベル種類表示アナンシエータにフォーカスが位置する時、ディスプレイされる状態情報やメニュー項目を示す図である。メニュー項目には、‘平常時モード’、‘エチケットモード’及び‘自動応答モード’が含まれることができ、各項目の下段には現在設定されている各項目の状態情報が表示される。
【００３９】
図３Ｃに図示されたように、‘平常時モード’項目の下段には‘ベル音’や‘振動’または‘無音’など、ベルの種類が表示され、特に特定キーボタンを入力することで、このような設定を変更することができる。
【００４０】
‘エチケットモード’項目の下段にはエチケットモードで設定された時間に対する状態情報を表示し、時間情報は特定キーボタンの入力により調節可能に構成される。       
【００４１】
‘自動応答モード’項目の下段には‘会議中’、‘就寝中’、または‘運転中’など、自動応答の種類が表示され、自動応答の種類は特定キーボタンの入力により変更可能である。また、新たな自動応答の設定が可能であるように構成されることができる。
【００４２】
図３Ｄは、メッセージ表示アナンシエータにフォーカスが位置する時、ディスプレイされるメニュー項目や状態情報を示す図である。メッセージ表示アナンシエータのメニュー項目は、‘文字メッセージ’、‘音声メッセージ’、‘動画メッセージ’、または‘ネートエアー（Nate Air）’などを含む。また、移動通信端末機が新しく受信したメッセージの個数に対する状態情報が各項目の後段に表示されるように構成される。
【００４３】
図３Ｅは、アラーム表示アナンシエータにフォーカスが位置する時、ディスプレイされる状態情報やメニュー項目を示す図であって、現在設定されているモーニングコールまたはアラームの時間情報及び‘アラーム設定’項目が表示される。
【００４４】
ミニＳＤメモリの状態情報アナンシエータにフォーカスが位置する時には、図３Ｆに図示されたように、ミニＳＤメモリの総容量対使用した容量に対する情報が表示され、バッテリ状態表示アナンシエータにフォーカスが位置する時には、図３Ｇのようにバッテリの残量がパーセント（％）で表示される。
【００４５】
図３Ｈは、時間表示アナンシエータにフォーカスが位置する時、ディスプレイされる状態情報やメニュー項目を示す図であって、状態情報には、日付、時間、及び曜日情報が表示され、メニュー項目にはユーザが日程を管理できるように‘今日の日程’項目を含む。
【００４６】
図４は、アナンシエータ領域のアナンシエータがディスプレイされる画面を示す図である。
【００４７】
前述したように、ユーザがアナンシエータを利用して移動通信端末機の状態情報を確認し、メニュー項目への容易な接近のためには、ＬＣＤ表示部に現在表示されているアナンシエータ（活性状態のアナンシエータ）のみならず、現在表示されていないアナンシエータ（非活性状態のアナンシエータ）へもフォーカスが移動できるようにディスプレイされなければならない。したがって、図４に示すように、全てのアナンシエータがディスプレイされなければならないが、活性状態のアナンシエータと非活性状態のアナンシエータとの区別は、相互間の陰影に差を付けたり、活性状態アナンシエータは陽刻で、非活性状態のアナンシエータは陰刻でディスプレイされるようにすることにより可能である。
【００４８】
以上の説明は、本発明を例示的に説明したことに過ぎないものであって、本発明が属する技術分野で通常の知識を有する者であれば、本発明の本質的な特性から外れない範囲で多様な変形が可能である。したがって、本明細書に開示された実施形態は本発明を限定するためのものでなく、説明するためのものであり、このような実施形態により本発明の思想と範囲が限るのではない。本発明の範囲は下記の請求範囲により解されなければならなくて、それと同等な範囲内にある全ての技術は本発明の権利範囲に含まれることと解されているべきである。
【図面の簡単な説明】
【００４９】
【図１】本発明の好ましい実施形態に係る移動通信端末機の構成図である。
【図２】本発明の好ましい実施形態に係る移動通信端末機におけるユーザとの相互作用が可能なアナンシエータを提供する方法を示すフローチャートである。
【図３】アナンシエータにフォーカスが位置する時、ディスプレイされる移動通信端末機の状態情報やメニュー項目を示す図である。
【図４】アナンシエータ領域のアナンシエータがディスプレイされる画面を示す図である。
【図１】
2008544630.tif 000003
【図２】
2008544630.tif 000004
【図３】
2008544630.tif 000005
【図４】
2008544630.tif 000006
【国際調査報告】
2008544630.tif 000007
2008544630.tif 000008